(57)【要約】      （修正有）【課題】掛け布団が身体に巻き付くのを防止する掛け布団カバー、および掛け布団巻き付き防止具を提供する。【解決手段】掛け布団本体２を被覆するための掛け布団カバー１は、短手方向の上辺１１の側端部に、塑性変形可能であり形状維持性を有する巻き込み防止具２０を備える。掛け布団カバー１は、巻き込み防止具２０を短手方向の上辺１１と対向する下辺の側端部に更に備えてもよい。また、掛け布団カバー１は、長手方向の左右辺の側端部や四隅それぞれを切り欠く４つの斜辺または当該斜辺近傍に、巻き込み防止具２０を備えてもよい。【選択図】図１
0003199893.tif 000002
【実用新案登録請求の範囲】
【請求項１】
掛け布団本体を被覆するための掛け布団カバーであって、
短手方向の一辺の側端部に、塑性変形可能であり形状維持性を有する細長形状部材を備えることを特徴とする掛け布団カバー。
【請求項２】
前記細長形状部材を、前記短手方向の一辺と対向する辺に側端部に更に備えることを特徴とする請求項１に記載の掛け布団カバー。
【請求項３】
掛け布団本体を被覆するための掛け布団カバーであって、
長手方向の両辺の側端部に、塑性変形可能であり形状維持性を有する細長形状部材を備えることを特徴とする掛け布団カバー。
【請求項４】
掛け布団本体を被覆するための掛け布団カバーであって、
四隅それぞれを切り欠く４つの斜辺または当該斜辺近傍に、塑性変形可能であり形状維持性を有する細長形状部材を備えることを特徴とする掛け布団カバー。
【請求項５】
掛け布団本体を被覆するための掛け布団カバーであって、
対角線上または対角線近傍に、塑性変形可能であり形状維持性を有する細長形状部材を備えることを特徴とする掛け布団カバー。
【請求項６】
前記細長形状部材が、取り外し可能であることを特徴とする請求項１から請求項５のいずれかに記載の掛け布団カバー。
【請求項７】
掛け布団に取り付ける巻き付き防止具であって、
塑性変形可能であり形状維持性を有する細長形状部材と、
前記細長形状部材の両端に備えられ、当該細長形状部材を前記掛け布団に係止する２つの係止部と、
を備えることを特徴とする巻き付き防止具。
【請求項８】
掛け布団に取り付ける巻き付き防止具であって、
塑性変形可能であり形状維持性を有し、隙間を有して対向する２つの細長形状部材と、
前記対向する２つの細長形状部材において、対向する両端を連結する連結部と、
を備えることを特徴とする巻き付き防止具。
【考案の詳細な説明】
【技術分野】
【０００１】
本考案は、掛け布団が体に巻き付くのを防止する掛け布団カバー、および掛け布団巻き付き防止具に関するものである。
【背景技術】
【０００２】
近年、軽くて薄い布団が多数売られている。軽くて薄い布団は、身体への負担が少なく、また、コンパクトに収納ができるといったメリットがある。しかしながら、軽くて薄いがために、就寝時、寝返りを打つとどうしても身体とともに掛け布団が移動しやすく、掛け布団が身体から横にずれて、例えば布団を脱いだ状態で睡眠し、寒気をおぼえるというような問題点があった。そこで、掛け布団を敷き布団といった他のものに結び付けて固定することで掛け布団がずれることを防止する技術が提案されている（例えば、特許文献１、特許文献２参照）。
【先行技術文献】
【特許文献】
【０００３】
【特許文献１】特開２０１３−２５２４０５号公報
【特許文献２】特開２００４−３２９３０１号公報
【考案の概要】
【考案が解決しようとする課題】
【０００４】
ところで、軽くて薄い掛け布団には、掛け布団が身体から横にずれてしまうとともに、寝返りの際に身体に巻き付いてしまうことで、眠りが妨げられて寝心地が悪くなってしまうという問題点もあった。しかしながら、特許文献１および特許文献２に記載の技術では、掛け布団が身体から横にずれてしまうことは防げるが、寝返りの際に掛け布団が身体に巻き付いてしまい眠りが妨げられて寝心地が悪くなってしまうという問題点は解消することはできなかった。
【０００５】
そこで、本発明は、上記課題に鑑み、掛け布団が身体に巻き付くのを防止する掛け布団カバー、および掛け布団巻き付き防止具を提供することを目的とする。
【課題を解決するための手段】
【０００６】
本考案は、上記の課題を解決するために、以下の事項を提案している。なお、理解を容易にするために、本考案の実施形態に対応する符号を付して説明するが、これに限定されるものではない。
【０００７】
請求項１の考案は、掛け布団本体（２）を被覆するための掛け布団カバー（１）であって、短手方向の一辺（１１）の側端部に、塑性変形可能であり形状維持性を有する細長形状部材（２０）を備えることを特徴とする掛け布団カバーを提案している。
【０００８】
この考案によれば、掛け布団カバーが被された掛け布団の芯として細長形状部材が働き、掛け布団が丸まりにくくなる。その結果、寝返り等によって掛け布団が人の身体に巻き付きことを防ぐことができ、就寝時に眠りが妨げられず寝心地を向上させることができる。
【０００９】
請求項２の考案は、請求項１に記載の掛け布団カバー（１）において、前記細長形状部材（２０）を、前記短手方向の一辺と対向する辺（１２）に側端部に更に備えることを特徴とする掛け布団カバーを提案している。
【００１０】
この考案によれば、掛け布団カバーが被された掛け布団上下において細長形状部材が芯として働き、より掛け布団が丸まりにくくなる。その結果、寝返り等によって掛け布団が人の身体に巻き付きことを防ぐことができ、就寝時に眠りが妨げられず寝心地を向上させることができる。
【００１１】
請求項３の考案は、掛け布団本体（２）を被覆するための掛け布団カバー（１）であって、長手方向の両辺（１３，１４）の側端部に、塑性変形可能であり形状維持性を有する細長形状部材（２０）を備えることを特徴とする掛け布団カバーを提案している。
【００１２】
この考案によれば、掛け布団カバーが被された掛け布団左右において細長形状部材が芯として働き、掛け布団が丸まりにくくなる。その結果、寝返り等によって掛け布団が人の身体に巻き付きことを防ぐことができ、就寝時に眠りが妨げられず寝心地を向上させることができる。
【００１３】
請求項４の考案は、掛け布団本体（２）を被覆するための掛け布団カバー（１）であって、四隅それぞれを切り欠く４つの斜辺または当該斜辺近傍に、塑性変形可能であり形状維持性を有する細長形状部材（２０）を備えることを特徴とする掛け布団カバーを提案している。
【００１４】
この考案によれば、掛け布団カバーが被された掛け布団四隅近傍において細長形状部材が芯として働き、掛け布団が丸まりにくくなる。その結果、寝返り等によって掛け布団が人の身体に巻き付きことを防ぐことができ、就寝時に眠りが妨げられず寝心地を向上させることができる。
【００１５】
請求項５の考案は、掛け布団本体（２）を被覆するための掛け布団カバー（１）であって、対角線上または対角線近傍に、塑性変形可能であり形状維持性を有する細長形状部材（２０）を備えることを特徴とする掛け布団カバーを提案している。
【００１６】
この考案によれば、掛け布団カバーが被された掛け布団の対角線上において細長形状部材が芯として働き、掛け布団が丸まりにくくなる。その結果、寝返り等によって掛け布団が人の身体に巻き付きことを防ぐことができ、就寝時に眠りが妨げられず寝心地を向上させることができる。
【００１７】
請求項６の考案は、請求項１から請求項５のいずれかに記載の掛け布団カバー（１）において、前記細長形状部材（２０）が、取り外し可能であることを特徴とする掛け布団カバーを提案している。
【００１８】
この考案によれば、細長形状部材が掛け布団カバーから取り外し可能であることにより、掛け布団カバーの収納や洗濯をしやすくすることができる。
【００１９】
請求項７の考案は、掛け布団に取り付ける巻き付き防止具（３０）であって、塑性変形可能であり形状維持性を有する細長形状部材（３１）と、前記細長形状部材の両端に備えられ、当該細長形状部材を前記掛け布団に係止する２つの係止部（３２）と、を備えることを特徴とする巻き付き防止具を提案している。
【００２０】
この考案によれば、係止された細長形状部材が掛け布団の芯として働き、掛け布団が丸まりにくくなる。その結果、寝返り等によって掛け布団が人の身体に巻き付きことを防ぐことができ、就寝時に眠りが妨げられず寝心地を向上させることができる。
【００２１】
請求項８の考案は、掛け布団に取り付ける巻き付き防止具（４０）であって、塑性変形可能であり形状維持性を有し、隙間を有して対向する２つの細長形状部材（４１）と、前記対向する２つの細長形状部材において、対向する両端を連結する連結部（４２）と、を備えることを特徴とする巻き付き防止具を提案している。
【００２２】
この考案によれば、係止された細長形状部材が掛け布団の芯として働き、掛け布団が丸まりにくくなる。その結果、寝返り等によって掛け布団が人の身体に巻き付きことを防ぐことができ、就寝時に眠りが妨げられず寝心地を向上させることができる。
【考案の効果】
【００２３】
本考案によれば、寝返りの際に掛け布団が身体に巻き付いてしまうことを防ぎ、就寝時に眠りが妨げられず寝心地を向上させることができる。
【図面の簡単な説明】
【００２４】
【図１】発明の第１の実施形態に係る掛け布団カバーの使用状態を表す平面図を示す。
【図２】本発明の第１の実施形態に係る掛け布団カバーの使用状態における断面図を示す。
【図３】本発明の第１の実施形態に係る掛け布団カバーの変形例の上面図を示す。
【図４】本発明の第２の実施形態に係る掛け布団巻き付き防止具の使用状態を表す平面図を示す。
【図５】本発明の第２の実施形態に係る掛け布団巻き付き防止具の横断面図を示す。
【図６】本発明の第２の実施形態に係る掛け布団巻き付き防止具の変形例の横断面図を示す。
【考案を実施するための形態】
【００２５】
以下、図面を用いて、本考案の実施形態について詳細に説明する。本実施形態において、同一部材や形状であっても位置等が異なることで区別する場合には符号に英字を付し、区別しない場合には符号のみで表す。なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２６】
図１および図２を用いて、本発明の第１の実施形態に係る掛け布団カバー１について説明する。図１は、本発明の第１の実施形態に係る掛け布団カバー１の使用状態を表す平面図を示す。図２は、本発明の第１の実施形態に係るカバー１の使用状態における断面図を示す。
【００２７】
掛け布団カバー１は、綿や羽毛等から構成される掛け布団本体２に被せて使用されるものであって、筒状や袋状のものである。掛け布団本体２は、薄くて軽いものであるのが望ましい。以下、掛け布団本体２に掛け布団カバー１を被せたものを掛け布団という。
【００２８】
掛け布団カバー１は、図１に示すように、短手方向の上辺１１側端部に掛け布団巻き付き防止具（以下、簡略化のため防止具という）２０を備える。ここで、上辺１１とは、掛け布団使用時に、人の頭側にある短手方向の辺をいう。なお、防止具２０は、掛け布団カバー１の上辺１１の縁側面に備えられてもよい。
【００２９】
防止具２０は、掛け布団カバー１の上生地または下生地のいずれかに取り付けられてもよいし、上生地と下生地との間に取り付けられてもよい。なお、本実施形態において、防止具２０は掛け布団カバー１の上生地に備えられている。また、防止具２０は、掛け布団カバー１に取り外し不可であってもよいし、取り外し可能であってもよい。
【００３０】
防止具２０が掛け布団カバー１から取り外し可能な場合には、例えば、掛け布団カバー１は、防止具２０を挿入する筒部（図示せず）を備える。筒部は、少なくとも１つの開閉可能な開口部を有する。また、掛け布団カバー１は、防止具２０を掛け布団カバー１に固定するための１以上の固定具を備えてもよい。固定具がテープ状の面ファスナーの場合には、複数の面ファスナーそれぞれを防止具に巻きつけて固定し、固定具が粘着テープの場合には、掛け布団カバー１に防止具２０を粘着テープで貼着する。このように、防止具２０を掛け布団カバー１から取り外し可能にすることで、掛け布団や掛け布団カバー１の収納や洗濯がしやすくなる。
【００３１】
防止具２０は、細長形状部材であって、例えば、板形状や棒形状である。防止具２０は、容易に変形が可能な塑性変形可能であり形状維持性を有する部材であり、例えば、ポリエチレン製や金属製である。
【００３２】
上述した防止具２０は、掛け布団カバー１の上辺１１側端部に備えることにより掛け布団の上部の芯として働く。それにより、掛け布団は、特に薄くて軽い掛け布団は、丸まりにくくなり、寝返り等によって掛け布団が人の体に巻き付きことを防ぐことができる。その結果、眠りが妨げられず、寝心地を向上させることができる。
【００３３】
図２を用いて、人の動きに伴う防止具２０を備えた掛け布団の状態について説明する。図２は、図１におけるＡ−Ａ断面図を示す。図２（ａ）は人４が仰向けに寝ている状態の断面図を示し、図２（ｂ）は人４が横向きに寝ている状態の断面図を示す。なお、図において、掛け布団本体２は省略している。
【００３４】
防止具２０は塑性変形可能であり形状維持性を有する部材であるので、図２（ａ）に示すように、防止具２０は仰向けに寝ている人４の身体に沿った湾曲形状に変化する。防止具２０の形状が変形することで掛け布団も湾曲形状に変形するので、掛け布団を人４の身体に沿わせることができる。その一方、防止具２０が掛け布団の上部の芯として働くので、掛け布団は身体に密着しない。なお、人４が防止具２０を任意の形状に形作ってもよい。
【００３５】
図２（ａ）に示すように、防止具２０により掛け布団は身体に密着しないので、寝返りを打つ際に、掛け布団が身体に巻き付かず、寝返りしやすい。その結果、眠りが妨げられず、寝心地を向上させることができる。
【００３６】
寝返りによって、図２（ａ）から図２（ｂ）に人４が横向きになると、今度は、防止具２０は横向きに寝ている人４の身体に沿った湾曲形状に変化し、掛け布団を人４の体に沿わせることができる。このように、人の身体が動いても、防止具２０が掛け布団を身体に沿った形状に自然に変化させることができる。
【００３７】
図３には、本発明の第１の実施形態に掛かる掛け布団カバー１の変形例の上面図を示す。なお、本図において掛け布団本体２は省略している。図１では、防止具２０は、短手方向の上辺１１の側端部に備えられていたが、図３（ａ）に示すように短手方向の下辺１２の側端部や縁側面、また長手方向の左右辺１３，１４の側端部や縁側面に備えてもよい。それにより、掛け布団をより丸まりにくくすることができる。
【００３８】
また、図３（ｂ）に示すように、掛け布団カバーの対角線上または対角線近傍に防止具２０を取り付けることでも、掛け布団を丸まりにくくすることができる。更には、図３（ｃ）に示すように、掛け布団カバー１の四隅それぞれを切り欠いた斜辺または斜辺近傍に防止具２０を取り付けても、掛け布団を丸まりにくくすることができる。四隅それぞれを切り欠いた斜辺に防止具２０を取り付ける場合には、隣り合う辺のそれぞれの中心を結んだ斜辺に近い方が、掛け布団の芯としての働きが高まり望ましい。
【００３９】
なお、各辺の側端部、対角線、および四隅それぞれを切り欠いた斜辺、これらを組み合わせた位置に防止具２０を取り付けてもよい。また、各辺の側端部、対角線、および四隅それぞれを切り欠いた斜辺に取り付けられる防止具２０はつながっていてもよい。
【００４０】
本実施形態において、掛け布団カバー１に防止具２０は取り付けられていたが、掛け布団本体２内部に、防止具２０を上述したような位置に備えてもよい。この場合にも、防止具２０は取り外し不可であってもよいし、取り外し可能であってもよい。
【００４１】
以上、説明したように、本実施形態によれば、掛け布団カバー１の防止具２０が、掛け布団の芯として働くことにより、掛け布団は、特に薄くて軽い掛け布団は、丸まりにくくなり、寝返り等によって掛け布団が人の身体に巻き付きことを防ぐことができる。その結果、眠りが妨げられず、寝心地を向上させることができる。
【００４２】
＜第２の実施形態＞
図４は、本発明の第２の実施形態に係る巻き付き防止具３０の使用状態を示す図である。図５は、本発明の第２の実施形態に係る巻き付き防止具３０の横断面図を示す図である。図６は、本発明の第２の実施形態に係る巻き付き防止具３０の変形例である巻き付き防止具４０の横断面図を示す図である。
【００４３】
巻き付き防止具３０は、細長形状部材３１とクリップ部３２とから構成される。
【００４４】
細長形状部材３１は、細長形状であって、例えば、板形状や棒形状である。細長形状部材３１は、容易に変形が可能な塑性変形可能であり形状維持性を有する部材であり、例えば、ポリエチレン製や金属製である。細長形状部材３１は、掛け布団５の短手方向の辺、長手方向の辺、対角線、または四隅を切り欠く斜辺の固定長のものであってもよいし、自身の長手方向に伸縮自在となるような公知の伸縮構造を備えて長さが変更できるものであってもよい。ここで、掛け布団５とは、掛け布団本体、もしくは、掛け布団本体に掛け布団カバーが被されたものをいう。
【００４５】
クリップ部３２は、細長形状部材３１の両端に設けられている。クリップ部３２は、掛け布団５の端を挟み込んで、細長形状部材３１を掛け布団５に沿わせて係止する。本実施形態において、巻き付き防止具３０をクリップ部３２によって掛け布団５に係止しているが、巻き付き防止具３０を掛け布団５に係止することができるものであれば、クリップ以外の他の公知の技術を用いてもよい。
【００４６】
巻き付き防止具３０は、掛け布団５の短手方向の辺、長手方向の辺、対角線、または四隅を切り欠く斜辺等任意に位置にクリップ部３２により取り付けられ、掛け布団５の芯として働く。それにより、掛け布団５は、特に薄くて軽い掛け布団は、丸まりにくくなり、寝返り等によって掛け布団が人の身体に巻き付きことを防ぐことができ、眠りが妨げられず、寝心地を向上させることができる。
【００４７】
次に、巻き付き防止具３０の変形例を図６に示す。図６に示す巻き付き防止具４０は、２つの細長形状部材４１と連結部４２とから構成される。２つの細長形状部材４１は、隙間を有して対向して配置されている。２つの細長形状部材４１の形状や素材は、巻き付き防止具３０の細長形状部材３１と同一である。連結部４２は、２つの細長形状部材４１を対向する両端で連結し、環状の巻き付き防止具４０とする。連結部４２は、金属、ゴム、合成樹脂等で構成され、伸縮性があるものが好ましい。
【００４８】
巻き付き防止具４０は、２つの細長形状部材４１の隙間に掛け布団５を任意の位置で挟み、掛け布団５の芯として働く。それにより、掛け布団５は、特に薄くて軽い掛け布団は、丸まりにくくなり、寝返り等によって掛け布団が人の身体に巻き付きことを防ぐことができ、眠りが妨げられず、寝心地を向上させることができる。
【００４９】
以上、説明したように、本実施形態によれば、掛け布団本体や掛け布団カバーが被された掛け布団に巻き付き防止具を取り付けることにより、掛け布団等の任意の位置に芯を作り、掛け布団、特に薄くて軽い掛け布団は、丸まりにくくなり、寝返り等によって掛け布団が人の体に巻き付きことを防ぐことができる。その結果、眠りが妨げされず、寝心地を向上させることができる。
【００５０】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５１】
１        掛け布団カバー
２        掛け布団本体
３        敷き布団
４        人
５        掛け布団
１１      上辺
１２      下辺
１３      左辺
１４      右辺
２０      巻き込み防止具
３０      巻き込み防止具
３１      細長形状部材
３２      クリップ部
４０      巻き込み防止具
４１      細長形状部材
４２      連結部
【図１】
0003199893.tif 000003
【図２】
0003199893.tif 000004
【図３】
0003199893.tif 000005
【図４】
0003199893.tif 000006
【図５】
0003199893.tif 000007
【図６】
0003199893.tif 000008